(57)【要約】      （修正有）【課題】異なる画像を集約して印刷した一部の頁に異常が発生した場合に、無駄な頁を発生させることのない再印刷を実施しつつ、再印刷された画像の検査を実施可能とする画像形成装置を提供する。【解決手段】画像形成装置は、異なる画像の画像データを集約した集約画像データに基づいて、シート状の記録媒体に画像を形成し、記録媒体に形成された画像を読み取った読取画像データと基準データとを比較することにより、読取画像データの異常を検出する異常検出部とを備える。異常検出部は、読取画像データの異常を、画像毎に検出し、異常検出部において異常が検出された場合に、異常検出部において異常が検出されなかった画像の画像データを外して新たな集約画像データを作成し、基準データを画像データ毎に分割した分割基準データのうち異常検出部において異常が検出されなかった画像の分割基準データを外して新たな基準データを作成する。【選択図】図５
2020064458.tif 000002
【特許請求の範囲】
【請求項１】
異なる画像の画像データを集約した集約画像データを作成する画像処理部と、
前記集約画像データに基づいて、シート状の記録媒体に画像を形成する画像形成部と、
前記記録媒体に形成された画像を読取画像データとして読み取る画像読取部と、
前記読取画像データと基準データとを比較することにより、前記読取画像データの異常を検出する異常検出部とを備え、
前記画像読取部は、記録媒体上に集約して形成された複数の画像を読取画像データとして読み取り、
前記異常検出部は、前記画像読取部で読み取った複数の画像の読取画像データの異常を、画像毎に検出し、
前記画像処理部は、前記異常検出部において異常が検出された場合に、前記異常検出部において異常が検出されなかった画像の画像データを外して新たな集約画像データを作成し、前記基準データを画像データ毎に分割した分割基準データのうち前記異常検出部において異常が検出されなかった画像の分割基準データを外して前記分割基準データの集約を変更した新たな基準データを作成する
画像形成装置。
【請求項２】
前記画像形成部は、前記画像処理部で作成した前記新たな集約画像データに基づいて画像形成を行い、
前記異常検出部は、前記画像処理部で作成した前記新たな基準データを用いて前記読取画像データの異常を検出する
請求項１に記載の画像形成装置。
【請求項３】
前記画像処理部は、前記基準データを画像データ毎に分割した分割基準データを作成する
請求項１または２に記載の画像形成装置。
【請求項４】
前記画像読取は、前記記録媒体の全領域である媒体領域よりも広い読取領域の画像を前記読取画像データとして読み取り、
前記画像処理部は、前記新たな基準データを作成する際、前記分割基準データにおける前記媒体領域同士を結合して前記分割基準データを結合する
請求項１〜３の何れか１項に記載の画像形成装置。
【請求項５】
前記画像読取は、前記記録媒体の全領域である媒体領域よりも広い読取領域の画像を前記読取画像データとして読み取り、
前記画像処理部は、前記媒体領域よりも狭い画像データ領域同士を結合して前記新たな基準データを作成する
請求項１〜４の何れか１項に記載の画像形成装置。
【請求項６】
前記異常検出部は、前記記録媒体の周縁領域を検査外領域として前記読取画像データと前記基準データとの比較を行う
請求項１〜５の何れか１項に記載の画像形成装置。
【請求項７】
前記異常検出部は、前記新たな基準データにおいて、前記分割基準データを結合した境界領域を検査外領域として前記読取画像データと前記基準データとの比較を行う
請求項１〜６の何れか１項に記載の画像形成装置。
【請求項８】
前記画像読取部で画像が読み取られた記録媒体を複数の分割領域に断裁する断裁処理部を備え、
前記画像処理部は、
前記断裁処理部における断裁処理の実行が設定されている場合に、前記集約画像データを作成する
請求項１〜７の何れか１項に記載の画像形成装置。
【請求項９】
異なる画像の画像データを集約した集約画像データを作成する画像処理部と、
前記集約画像データに基づいて、シート状の記録媒体に画像を形成する画像形成部と、
前記記録媒体に形成された画像を読取画像データとして読み取る画像読取部と、
前記読取画像データと基準データとを比較することにより、前記読取画像データの異常を検出する異常検出部とを備えた画像形成装置の制御方法であって、
前記画像読取部が、記録媒体上に集約して形成された複数の画像を読取画像データとして読み取るステップと、
前記異常検出部が、前記画像読取部で読み取った複数の画像の読取画像データの異常を、画像毎に検出するステップと、
前記画像処理部が、前記異常検出部において異常が検出された場合に、前記異常検出部において異常が検出されなかった画像の画像データを外して新たな集約画像データを作成し、前記基準データを画像データ毎に分割した分割基準データのうち前記異常検出部において異常が検出されなかった画像の分割基準データを外して前記分割基準データの集約を変更した新たな基準データを作成するステップとを有する
画像形成装置の制御方法。
【請求項１０】
異なる画像の画像データを集約した集約画像データを作成する画像処理部と、
前記集約画像データに基づいて、シート状の記録媒体に画像を形成する画像形成部と、
前記記録媒体に形成された画像を読取画像データとして読み取る画像読取部と、
前記読取画像データと基準データとを比較することにより、前記読取画像データの異常を検出する異常検出部とを備えた画像形成装置を制御する制御部によって実行される画像形成装置の制御プログラムであって、
前記画像読取部が、記録媒体上に集約して形成された複数の画像を読取画像データとして読み取るステップと、
前記異常検出部が、前記画像読取部で読み取った複数の画像の読取画像データの異常を、画像毎に検出するステップと、
前記画像処理部が、前記異常検出部において異常が検出された場合に、前記異常検出部において異常が検出されなかった画像の画像データを外して新たな集約画像データを作成し、前記基準データを画像データ毎に分割した分割基準データのうち前記異常検出部において異常が検出されなかった画像の分割基準データを外して前記分割基準データの集約を変更した新たな基準データを作成するステップとを、前記制御部に実行させる
画像形成装置の制御プログラム。
【発明の詳細な説明】
【技術分野】
【０００１】
本発明は、画像形成装置、画像形成装置の制御方法、および画像形成装置の制御プログラムに関する。
【背景技術】
【０００２】
シート状の記録媒体に画像を印刷して形成する画像形成装置の中には、記録媒体上に形成された画像を読取部で読み取り、読み取った画像が基準画像と一致しているか否かにより、形成画像の異常を検出する機能を備えたものがある。
【０００３】
ここで、読み取った画像が基準画像と一致しているか否かを判定する技術として、例えば下記特許文献１に記載の技術がある。この技術は、基準として参照される参照画像を自動分割して複数の参照分割画像を作成し、参照分割画像の作成工程での自動分割に基づいて対象画像を分割することにより複数の対象分割画像を作成し、複数の参照分割画像と複数の対象分割画像とを比較して、対象物の状態を判定する技術である。このような技術によれば、対象物において部分的に異常がある場合であってもこの異常を捉えることが可能であり、対象物の状態をより的確に判定することができるとされている。
【先行技術文献】
【特許文献】
【０００４】
【特許文献１】特開２０１４−２１９７３号公報
【発明の概要】
【発明が解決しようとする課題】
【０００５】
ところで上述した画像形成装置の中には、複数の異なる画像を集約した印刷用の画像データを作成し、この画像データに基づいて１枚の記録媒体に異なる画像を面付けして印刷し、異なる画像が印刷された記録媒体を画像毎に断裁して出力する機能を有するものがある。このような機能を有する画像形成装置は、印刷された画像データと、異なる画像を集約した基準の画像データとを比較することにより、記録媒体上に印刷された画像に対する汚れやキズ等の異常（ヤレ）を検出する機能を備えている。
【０００６】
そして、記録媒体上に印刷された一部の画像に異常が検出された場合には、同一の画像データに基づく再印刷が実施される。しかしながら、この場合、１枚の記録媒体に形成された複数の画像のうち、異常が検出されていない画像も再印刷されるため、画像が印刷された記録媒体を断裁した場合には、重複する無駄な頁が発生し、記録媒体や印刷用のトナーが無駄に使用される問題があった。
【０００７】
そこで本発明は、異なる画像を集約して印刷した一部の画像に異常が発生した場合に、重複する無駄な画像を発生させることのない再印刷を実施しつつ、再印刷された画像の検査を実施可能とする画像形成装置、画像形成装置の制御方法、および画像形成装置の制御プログラムを提供することを目的とする。
【課題を解決するための手段】
【０００８】
このような目的を達成するための本発明は、異なる画像の画像データを集約した集約画像データを作成する画像処理部と、前記集約画像データに基づいて、シート状の記録媒体に画像を形成する画像形成部と、前記記録媒体に形成された画像を読取画像データとして読み取る画像読取部と、前記読取画像データと基準データとを比較することにより、前記読取画像データの異常を検出する異常検出部とを備え、前記画像読取部は、記録媒体上に集約して形成された複数の画像を読取画像データとして読み取り、前記異常検出部は、前記画像読取部で読み取った複数の画像の読取画像データの異常を、画像毎に検出し、前記画像処理部は、前記異常検出部において異常が検出された場合に、前記異常検出部において異常が検出されなかった画像の画像データを外して新たな集約画像データを作成し、前記基準データを画像データ毎に分割した分割基準データのうち前記異常検出部において異常が検出されなかった画像の分割基準データを外して前記分割基準データの集約を変更した新たな基準データを作成する画像形成装置である。また本発明は、また本発明は、このような画像形成装置の制御方法、および画像形成装置の制御プログラムである。
【発明の効果】
【０００９】
本発明によれば、異なる画像を集約して印刷した一部の画像に異常が発生した場合に、重複する無駄な画像を発生させることのない再印刷を実施しつつ、再印刷された画像の検査を実施可能とする画像形成装置、画像形成装置の制御方法、および画像形成装置の制御プログラムを提供することができる。
【図面の簡単な説明】
【００１０】
【図１】本発明の各実施形態に係る画像形成装置の全体構成を示す概略図である。
【図２】本発明の各実施形態の画像形成装置の全体ブロック図である。
【図３】本発明の各実施形態の画像形成装置における制御部の機能構成図である。
【図４】本発明の第１実施形態に係る画像形成装置の制御方法を示すフローチャート（その１）である。
【図５】本発明の第１実施形態に係る画像形成装置の制御方法を示すフローチャート（その２）である。
【図６】第１実施形態の画像形成装置の制御方法を示す工程図（その１）である。
【図７】第１実施形態の画像形成装置の制御方法を示す工程図（その２）である。
【図８】第１実施形態の画像形成装置の制御方法を示す工程図（その３）である。
【図９】第１実施形態の画像形成装置の制御方法を示す工程図（その４）である。
【図１０】第１実施形態の画像形成装置の制御方法を示す工程図（その５）である。
【図１１】本発明の第２実施形態の画像形成装置の制御方法を示す図である。
【図１２】本発明の第３実施形態に係る画像形成装置の制御方法を示すフローチャートである。
【図１３】本発明の第４実施形態に係る画像形成装置の制御方法を示すフローチャートである。
【図１４】第４実施形態の画像形成装置の制御方法を示す工程図である。
【発明を実施するための形態】
【００１１】
以下、本発明を適用した各実施形態を図面に基づいて詳細に説明する。なお、各実施形態において共通する構成要素には同一の符号を付し、重複する説明の一部は省略する。
【００１２】
≪実施形態における画像形成装置の概略構成≫
図１は、各実施形態に係る画像形成装置１００の全体構成を示す概略図であり、画像形成装置１００を前面（正面）から見た図である。また図２は、本発明の各実施形態の画像形成装置の全体ブロック図である。これらの図に示す画像形成装置１００は、１枚の記録媒体Ｐに異なる画像を集約して印刷し、複数の画像が集約して印刷された記録媒体Ｐを画像毎に断裁して出力する機能を有する装置である。
【００１３】
このような画像形成装置１００は、表示操作部１０１、制御部１０２、記憶部１０３、ネットワークインターフェース１０４、画像形成部１０５、媒体供給部１０６、画像読取部１０７、断裁処理部１０８、排出処理部１０９を備えている。これらの各要素は、バス１１０（図２）によって相互に接続され、以下のように構成されている。
【００１４】
＜表示操作部１０１＞
表示操作部１０１は、この画像形成装置１００を用いて実施されるジョブの設定を入力する部分であり、表示パネルおよび操作ボタンを有する。操作ボタンは表示パネルと一体に設けたタッチパネルであってもよい。表示操作部１０１によるジョブの設定とは、例えば、画像を形成する記録媒体Ｐのサイズ、記録媒体に複数の画像を集約して印刷する場合に、記録媒体に形成される画像のレイアウト、同一の画像を印刷する部数、などである。なお、このような操作を実施する表示操作部１０１は、画像形成装置１００に接続されたパーソナルコンピューターや他の外部装置であってもよいが、以下においては表示操作部１０１として説明をおこなう。
【００１５】
＜制御部１０２＞
制御部１０２は、表示操作部１０１での操作、または画像形成装置１００に接続されたパーソナルコンピューターなどの外部装置からの受信信号にしたがって、画像形成装置１００の各部の動作を制御するものであり、計算機によって構成されている。計算機は、いわゆるコンピューターとして用いられるハードウェアである。計算機は、ＣＰＵ（Central Processing Unit：中央処理装置）１０２−１、ＲＯＭ（Read Only Memory）１０２−２、ＲＡＭ（Random Access Memory）１０２−３を備える。
【００１６】
この制御部１０２は、以降に説明する画像形成装置１００の制御方法において説明する特徴的な制御を実施するものである。この制御の手順は、画像形成装置１００の各部の動作を制御する制御プログラムとして、ＲＯＭ１０２−２に保存されているか、または外部装置からＲＡＭ１０２−３にロードされて保存される。
【００１７】
図３は、本発明の各実施形態の画像形成装置１００における制御部１０２の機能構成図である。この図に示すように、制御部１０２は、画像処理部１０２ａ、表示処理部１０２ｂ、異常検出部１０２ｃ、動作制御部１０２ｄを有する。次のこれらの機能的要素の構成を、図３および先の図１および図２を参照して説明する。
【００１８】
［画像処理部１０２ａ］
画像処理部１０２ａは、ジョブの実施によって記録媒体Ｐ上に形成する画像の原稿データをラスタライズ処理することにより、印刷用の画像データ［ｄ］を作成する。画像処理部１０２ａが処理する画像の原稿データは、例えばネットワークインターフェース１０４を介して外部装置から入力された画像である。また、この画像形成装置１００が、原稿台と原稿台に載置された原稿の画像を読み取る読み取り装置を有する場合、画像処理部１０２ａが処理する画像の原稿データは、この読み取り装置から読み取った原稿データであってもよい。
【００１９】
また、画像処理部１０２ａは、表示操作部１０１の操作にしたがって、作成した印刷用の画像データ［ｄ］を集約した集約画像データ［ｄａ］を作成する。また画像処理部１０２ａは、表示操作部１０１の操作にしたがって、記憶部１０３に保存された基準データ［Ｄｐ］を頁毎の分割基準データ［Ｄｐｓ］に分割する。さらに画像処理部１０２ａは、分割基準データ［Ｄｐｓ］に基づいて新たな基準データ［Ｄｐ］を作成する。画像処理部１０２ａによるこれらのデータ作成の詳細は、以降の画像形成装置１００の制御方法において説明する。
【００２０】
［表示処理部１０２ｂ］
表示処理部１０２ｂは、表示操作部１０１に表示させる表示画像の処理を行う。
【００２１】
［異常検出部１０２ｃ］
異常検出部１０２ｃは、画像読取部１０７で読み取った画像の異常を検出する部分である。この異常検出部１０２ｃにおいては、画像読取部１０７で読み取った画像の読取画像データ［Ｄｔ］と、記憶部１０３に保存された画像の基準データ［Ｄｐ］とを比較することにより、画像読取部１０７で読み取った読取画像データ［Ｄｔ］の異常を検出する。
【００２２】
［動作制御部１０２ｄ］
動作制御部１０２ｄは、画像形成装置１００を構成する各動作部、すなわち画像形成部１０５、媒体供給部１０６、画像読取部１０７、断裁処理部１０８、および排出処理部１０９部の動作を制御する。
【００２３】
＜記憶部１０３＞
記憶部１０３は、表示操作部１０１での操作、および制御部１０２からの指示に基づいて、画像読取部１０７で読み取った読取画像データ［Ｄｔ］を保存し、また画像処理部１０２ａにおいて作成した画像データ［ｄ］、集約画像データ［ｄａ］、基準データ［Ｄｐ］、および分割基準データ［Ｄｐｓ］を保存する。また記憶部１０３は、画像形成装置１００の制御プログラムを保存してもよい。記憶部１０３における画像データの記憶の手順の詳細は、下記の画像形成装置１００の制御方法において詳細に説明する。
【００２４】
＜ネットワークインターフェース１０４＞
ネットワークインターフェース１０４は、例えば画像形成装置１００と、パーソナルコンピューターや他の外部装置との間でのデータの受け渡しをするためのものである。
【００２５】
＜画像形成部１０５＞
画像形成部１０５は、制御部１０２からの指示にしたがって、シート状の記録媒体Ｐの主面上に、印刷によって画像を形成する部分である。一例として、この画像形成部１０５は、電子写真方式のものであって、媒体搬送路１０５ａ、トナー画像形成ユニットが周囲に配置された中間転写ドラム１０５ｂ、および定着部１０５ｃなどを備え、媒体搬送路１０５ａに沿って搬送される記録媒体Ｐの一主面上にトナー画像を形成する。
【００２６】
＜媒体供給部１０６＞
媒体供給部１０６は、制御部１０２からの指示にしたがって、画像形成部１０５に記録媒体を供給する部分である。このような媒体供給部１０６は、大量の記録媒体Ｐを収容する媒体収容部１０６ａと、媒体収容部１０６ａに収容された記録媒体Ｐを１枚ずつ画像形成部１０５の媒体搬送路１０５ａに供給する媒体供給路１０６ｂとを備える。また媒体供給部１０６は、画像形成部１０５で画像が印刷された記録媒体Ｐを搬送方向に対して裏表シート反転させる反転搬送路１０６ｃと、さらに反転させた記録媒体Ｐを再び画像形成部１０５に供給する再供給路１０６ｄを備える。これにより、画像形成部１０５においては、記録媒体Ｐの表面および裏面の２つの主面に対して画像を印刷することが可能である。
【００２７】
また媒体供給部１０６は、さらに大量の記録媒体Ｐを収容可能な外部収容部１０６ｅを備えていてもよい。
【００２８】
＜画像読取部１０７＞
画像読取部１０７は、記録媒体Ｐに形成された画像を読み取るものであって、画像形成部１０５の後段に配置されている。この画像読取部１０７は、画像形成部１０５の媒体搬送路１０５ａから連続する媒体搬送路１０７ａと、媒体搬送路１０７ａに沿って設けられたインラインセンサー１０７ｂとを備え構成である。インラインセンサー１０７ｂは、例えばＣＣＤやＣＭＯＳセンサーからなる一般的なものであってよく、媒体搬送路１０７ａに沿って搬送される記録媒体Ｐの表面および表面に配置されている。
【００２９】
＜断裁処理部１０８＞
断裁処理部１０８は、制御部１０２からの指示にしたがって、画像読取部１０７から搬送された記録媒体Ｐを断裁する。特にこの断裁処理部１０８は、制御部１０２からの指示にしたがって、記録媒体Ｐを複数の画像が形成された領域毎であって頁毎に断裁する。また断裁処理部１０８は、記録媒体Ｐにおける画像データ領域を残してその周縁領域を断裁して除去する。このような断裁処理部１０８は、画像読取部１０７から連続する媒体搬送路１０８ａと、媒体搬送路１０８ａに沿って設けられた複数の断裁器１０８ｂと、断裁した記録媒体Ｐの周縁領域を受ける屑入れ１０８ｃとを備える。
【００３０】
＜排出処理部１０９＞
排出処理部１０９は、制御部１０２からの指示にしたがって、断裁処理部１０８から搬送された記録媒体Ｐを、必要に応じて分配して排出する部分である。このような排出処理部１０９は、断裁処理部１０８の媒体搬送路１０８ａから送り込まれた記録媒体Ｐを、第１トレー２００ａに排出する第１排出路１０９ａと、第２トレー２００ｂに排出する第２排出路１０９ｂとを備える。なお、排出処理部１０９は、断裁処理部１０８から送り込まれた記録媒体Ｐを、３つ以上の異なるトレーに分配して排出する構成であってもよい。
【００３１】
≪第１実施形態の制御方法≫
次に、以上のような各部を備えた画像形成装置１００の制御方法の第１実施形態を説明する。以降の各実施形態で説明する画像形成装置１００の制御方法は、表示操作部１０１から入力されたジョブの設定に基づき、制御部１０２の各部を構成するＣＰＵ１０２−１が、ＲＯＭ１０２−２やＲＡＭ１０２−３、さらには記憶部１０３に保存された画像形成装置１００の制御プログラムに基づいて、画像形成装置１００の各部の駆動を制御することにより実現される。
【００３２】
図４は、本発明の第１実施形態に係る画像形成装置の制御方法を示すフローチャート（その１）である。また図５は、本発明の第１実施形態に係る画像形成装置の制御方法を示すフローチャート（その２）である。以下、図４および図５のフローチャートに従い、先の図１〜図３、および他の必要図を参照し、第１実施形態に係る画像形成装置１００の制御方法を説明する。
【００３３】
＜ステップＳ１＞
ステップＳ１において、制御部１０２は、画像形成装置１００に対してジョブの入力が有ったか否かを判断する。そして、ジョブの入力が有った（ＹＥＳ）と判断されるまで待機し、ジョブの入力が有った（ＹＥＳ）と判断された場合に次のステップＳ２に進む。
【００３４】
なお、ジョブの入力は、例えばユーザーが表示操作部１０１または外部装置を操作することによってなされる。この際、ユーザーは、ジョブの設定として、印刷する画像の指定、画像を形成する記録媒体Ｐのサイズ、記録媒体Ｐに集約する画像のレイアウト、同一の画像を印刷する部数、記録媒体Ｐの断裁数、記録媒体Ｐの周縁を断裁するか否かの選択、および検品の設定を入力する。検品の設定は、検品作業を実施するか否かの選択、位置合わせ用のアライメントマークおよび画像調整用のパッチを形成するか否かの選択であることとする。また、記録媒体Ｐの周縁を断裁しない設定の場合には、位置合わせ用のアライメントマークおよび画像調整用のパッチの形成が選択されることはない。さらに、印刷する画像は、予めネットワークインターフェース１０４を介して外部装置から入力され、画像データとして記憶部１０３に保存されていることとする。
【００３５】
ここでは、以上のようなジョブの設定のうち、記録媒体Ｐに複数の画像を集約して印刷する設定と、記録媒体Ｐを複数に断裁する設定が成された場合に、ジョブの入力があった(ＹＥＳ)と判断して次のステップＳ２に進む。
【００３６】
＜ステップＳ２＞
ステップＳ２において、画像処理部１０２ａは、ジョブの設定に基づいて、集約画像データ［ｄａ］を作成する。この際、先ず画像処理部１０２ａは、入力された画像の原稿データをラスタライズ処理して印刷用の画像データ［ｄ］を作成する。図６（１）に示すように、この画像データ［ｄ］は、１頁毎の各画像データ［ｄ１］，［ｄ２］，…からなる。
【００３７】
次に、画像処理部１０２ａは、ジョブの設定に基づき、作成した画像データ［ｄ］を、ジョブの設定に基づく画像のレイアウトにしたがって順次に面付けする。ここで順次とは、画像が形成される頁順であって、ネットワークインターフェース１０４を介して外部装置から入力された画像の配置順であることとする。これにより、図６（２）に示すように、集約画像データ［ｄａ］を作成する。この集約画像データ［ｄａ］は、入力された全画像数と、１枚の記録媒体Ｐに集約する画像数とによって決められる、１つまたは複数の集約画像データ［ｄａ１］，［ｄａ２］，…からなる。図示した例では、４つ以上の複数の画像が入力され、１枚の記録媒体Ｐに２つの画像を集約する設定が入力された場合を示している。このようにして作成された集約画像データ［ｄａ］は、記憶部１０３に保存される。また、記憶部１０３は、特にここで作成した集約画像データ［ｄａ］を、オリジナルの集約画像データ［ｄａ(or)］としてラベリングして保存する。
【００３８】
＜ステップＳ３＞
ステップＳ３において、画像処理部１０２ａは、検品設定を行う。この際、画像処理部１０２ａは、表示操作部１０１からの入力にしたがって、位置合わせ用のアライメントマーク、および画像調整用のパッチを形成するための検品用の画像データを作成し、記憶部１０３に保存する。なお、ユーザーが実施するジョブの設定において、位置合わせ用のアライメントマークおよび画像調整用のパッチを形成しないことが選択されている場合には、本ステップＳ３を実施せずにステップＳ４に進めばよい。なお、以下においては、位置合わせ用のアライメントマークおよび画像調整用のパッチを形成する場合を例示して説明を行う。
【００３９】
＜ステップＳ４＞
ステップＳ４において、動作制御部１０２ｄは、画像形成部１０５に対して、基準データ［Ｄｐ］用のジョブ印刷を実施させる。ここでのジョブ印刷は、記憶部１０３に保存されている集約画像データ［ｄａ］と検品用の画像データとに基づいて実施される。これにより、図６（３）に示すように、各記録媒体Ｐの中央の広い領域に設定された画像データ領域［Ｔ１］に対し、２つの画像が集約して印刷される。また記録媒体Ｐにおける画像データ領域［Ｔ１］の外側には、位置合わせ用のアライメントマーク１１、および画像調整用のパッチ１２が形成される。
【００４０】
＜ステップＳ５＞
ステップＳ５において、動作制御部１０２ｄは、画像読取部１０７に対して、ステップＳ４において記録媒体Ｐに形成された画像の読み取りを実施させる。これにより、図６（４）に示すように、記録媒体Ｐにおける画像の形成面側をインラインセンサーで読み取った読取画像データ［Ｄｔ］が得られる。この読取画像データ［Ｄｔ］は、記録媒体Ｐの全領域である媒体領域［Ｔ２］よりも一回り大きな、読取領域［Ｔ３］について、画像の読み取りを実施したデータであることとする。
【００４１】
また、記録媒体Ｐにアライメントマーク１１やパッチ１２が印刷されている場合、画像読取部１０７は、記録媒体Ｐに形成されたアライメントマーク１１やパッチ１２を読み取る。これにより、制御部１０２は、は、記録媒体Ｐのエッジとアライメントマーク１１から印刷位置を確認し、アライメントマーク１１−１１間の間隔から倍率を確認する。また、また、読み取ったパッチ１２の濃度から、画像形成時の濃度を確認する。そして、確認した印刷位置、倍率、および濃度の何れかに、許容範囲を超えるずれがあれば、これらを調整する。
【００４２】
＜ステップＳ６＞
次のステップＳ６において、制御部１０２は、表示操作部１０１において、ステップＳ５で得られた読取画像データ［Ｄｔ］が基準データ［Ｄｐ］として問題なし、とする入力があったか否か、およびステップＳ５において確認した値に許容範囲を超えるずれが有ったか否かを判断する。
【００４３】
この場合、一例として、画像形成装置１００のユーザーは、ステップＳ４のジョブ印刷で得られた記録媒体Ｐの画像を目視で確認することにより、読取画像データ［Ｄｔ］の画像に汚れやキズなどの異常発生がないかを確認する。
【００４４】
ユーザーは、読取画像データ［Ｄｔ］の画像に異常発生がないことが確認されれば、表示操作部１０１での操作により、ステップＳ５で得られた読取画像データ［Ｄｔ］が基準データ［Ｄｐ］として問題なし、とする入力を実施する。制御部１０２は、基準データ［Ｄｐ］として問題なしの入力があり、かつステップＳ５において確認した値に許容範囲を超えるずれがなかった場合に、基準データ［Ｄｐ］として問題なし（ＹＥＳ）と判断し、次のステップＳ７に進む。
【００４５】
一方、ユーザーは、読取画像データ［Ｄｔ］の画像に異常発生を確認した場合には、表示操作部１０１の操作により、ステップＳ５で得られた読取画像データ［Ｄｔ］は、基準データ［Ｄｐ］として問題あり、とする入力を実施する。制御部１０２は、基準データ［Ｄｐ］として問題ありの入力があったか、またはステップＳ５において確認した値に許容範囲を超えるずれがあった場合には、基準データ［Ｄｐ］として問題がある（ＮＯ）と判断してステップＳ４に戻り、再び基準データ［Ｄｐ］用のジョブ印刷を実施させる。
【００４６】
＜ステップＳ７＞
ステップＳ７において、記憶部１０３は、図６（４）に示すように、直前のステップＳ５で読み取った読取画像データ［Ｄｔ］を、基準データ［Ｄｐ］として保存する。
【００４７】
なお、以上のステップＳ４〜ステップＳ７は、集約画像データ［ｄａ］を構成する全ての集約画像データ［ｄａ１］，［ｄａ２］，…について、対応する基準データ［Ｄｐ］が保存されるまで、それぞれに対して実施される。このようにして得られた基準データ［Ｄｐ］は、各集約画像データ［ｄａ１］，［ｄａ１］，…に対応する各基準データ［Ｄｐ１］，［Ｄｐ２］，…によって構成されたデータとなる。また、記憶部１０３は、特にここで保存さする基準データ［Ｄｐ］を、オリジナルの基準データ［Ｄｐ(or)］としてラベリングして保存する。
【００４８】
＜ステップＳ１０１＞
次に、ステップＳ１０１において、動作制御部１０２ｄは、画像形成部１０５に対してジョブ印刷を実施させる。この際、画像形成部１０５は、記憶部１０３に保存されている集約画像データ［ｄａ］のうちの、１つ目の集約画像データ［ｄａ１］に基づくジョブ印刷を実施する。これにより、図７（１）に示すように、各記録媒体Ｐの中央に設定された画像データ領域［Ｔ１］に２つの画像が集約して印刷される。また画像データ領域［Ｔ１］の外側には、位置合わせ用のアライメントマーク１１、および画像調整用のパッチ１２が形成される。これは、ステップＳ４と同様である。
【００４９】
＜ステップＳ１０２＞
次にステップＳ１０２において、動作制御部１０２ｄは、画像読取部１０７に対して、ジョブ印刷の実施によって記録媒体Ｐに形成された画像の読み取りを実施させる。これにより、図７（２）に示すように、記録媒体Ｐにおける画像の形成面側をインラインセンサーで読み取った読取画像データ［Ｄｔ］が得られる。この読取画像データ［Ｄｔ］は、記録媒体Ｐの全領域である媒体領域［Ｔ２］よりも一回り大きな読取領域［Ｔ３］について、画像の読み取りを実施したデータであることとする。
【００５０】
＜ステップＳ１０３＞
次にステップＳ１０３において、異常検出部１０２ｃは、ステップＳ１０２で得た読取画像データ［Ｄｔ］に異常があるか否かの判断を実施する。この際、図７（３）に示すように、異常検出部１０２ｃは、ステップＳ１０２で得た読取画像データ［Ｄｔ］と、記憶部１０３に保存されている基準データ［Ｄｐ］のうちの、対応する基準データ［Ｄｐ１］とを比較する。この比較は、読取画像データ［Ｄｔ］および対応する基準データ［Ｄｐ１］の色および画像の形成位置を数値化して実施する。
【００５１】
異常検出部１０２ｃは、比較した読取画像データ［Ｄｔ］と基準データ［Ｄｐ１］との間の数値の差が許容範囲内である場合には、異常なし（ＹＥＳ）と判断してステップＳ１０４に進む。一方、読取画像データ［Ｄｔ］と基準データ［Ｄｐ１］との間の差が、許容範囲を外れている場合には、異常あり（ＮＯ）と判断してステップＳ２０１に進む。
【００５２】
＜ステップＳ１０４＞
ステップＳ１０４において、動作制御部１０２ｄは、断裁処理部１０８に対して、ステップＳ１０１において画像が形成された記録媒体Ｐの断裁を実施させる。これにより、図７（４）に示すように、記録媒体Ｐは、画像毎の各記録媒体Ｐ−１，Ｐ−２に分割され、さらに画像データ領域［Ｔ１］のみを残してその周縁が除去される。
【００５３】
＜ステップＳ１０５＞
次にステップＳ１０５において、動作制御部１０２ｄは、排出処理部１０９に対して、分割された各記録媒体Ｐ−１，Ｐ−２を、第１排出路１０９ａからメイントレーである第１トレー２００ａに排出させる。その後、ステップＳ１０６に進む。
【００５４】
＜ステップＳ２０１＞
一方、ステップＳ１０３において異常がある（ＮＯ）と判断して進んだステップＳ２０１において、異常検出部１０２ｃは、有効画像があるか否かを判断する。この際、異常検出部１０２ｃは、図８（１）に示すように、ステップＳ１０２で読み取った読取画像データ［Ｄｔ］のうち、基準データ［Ｄｐ１］との間の差が許容範囲内となっていて異常が検出されていない画像がある場合には、有効画像がある（ＹＥＳ）と判断してステップＳ２０２に進む。図示した例においては、読取画像データ［Ｄｔ］のうちの１つめの画像は有効画像であり、２つめの画像にはトナー付着による汚れＢがあって有効画像ではない場合を示している。この場合、１つめの画像が有効画像であるため、有効画像がある（ＹＥＳ）と判断してステップＳ２０２に進む。
【００５５】
これに対し、読取画像データ［Ｄｔ］の全ての画像にわたって基準データ［Ｄｐ１］との間の差が、許容範囲を外れている場合には、有効画像がない（ＮＯ）と判断してステップＳ１０１に戻る。そして、直前のステップＳ１０１と同様の、集約画像データ［ｄａ１］に基づくジョブ印刷を実施し、以下のステップを繰り返し実施する。なお、フローチャートでの図示は省略したが、ステップＳ１０１に戻る前に、動作制御部１０２ｄは、排出処理部１０９に対して、画像が形成された記録媒体Ｐをサブトレーである第２トレー２００ｂに排出させる処理を実施する。
【００５６】
＜ステップＳ２０２＞
またステップＳ２０２において、動作制御部１０２ｄは、断裁処理部１０８に対して、ステップＳ１０１において画像が形成された記録媒体Ｐの断裁を実施させる。これにより、図８（２）に示すように、記録媒体Ｐは、画像が形成された頁毎の各記録媒体Ｐ−１，Ｐ−２に分割され、さらに画像データ領域［Ｔ１］のみを残してその周縁が除去される。これは、ステップＳ１０４と同様である。
【００５７】
＜ステップＳ２０３＞
ステップＳ２０３において、動作制御部１０２ｄは、排出処理部１０９に対して、分割された記録媒体Ｐ−１，Ｐ−２を第１トレー２００ａと第２トレー２００ｂとに分配して排出させる。この際、排出処理部１０９は、異常検出部１０２ｃからの情報に基づいて、有効画像が形成されている記録媒体Ｐ−１を、第１排出路１０９ａからメイントレーである第１トレー２００ａに排出させる。一方、排出処理部１０９は、無効画像が形成されている記録媒体Ｐ−２を、第２排出路１０９ｂからサブトレーである第２トレー２００ｂに排出して除去する。その後、ステップＳ２０４に進む。
【００５８】
＜ステップＳ２０４＞
ステップＳ２０４において、画像処理部１０２ａは、記憶部１０３に保存されている集約画像データ［ｄａ］の集約を変更する。この際、画像処理部１０２ａは、異常検出部１０２ｃからの情報に基づいて、有効画像であると判断された画像データを外し、図９に示すように、無効画像であると判断された画像の画像データ［ｄ２］と、印刷されていない画像の画像データ［ｄ３］とで構成された新たな集約画像データ［ｄａ］を作成する。
【００５９】
このような変更後の集約画像データ［ｄａ］は、印刷されていない残りの全画像数と、１枚の記録媒体に集約する画像数とによって決まる、１つまたは複数の集約画像データ［ｄａ１］，［ｄａ２］，…からなる。これらの変更後の集約画像データ［ｄａ］：［ｄａ１］，［ｄａ２］，…は、変更後の新たな集約画像データ［ｄａ］として記憶部１０３に保存される。
【００６０】
＜ステップＳ２０５＞
ステップＳ２０５において、画像処理部１０２ａは、記憶部１０３に保存されたオリジナルの基準データ［Ｄｐ(or)］を分割する。この際、画像処理部１０２ａは、記憶部１０３に保存された基準データ［Ｄｐ］を、画像単位に分割する。
【００６１】
これにより、図１０（１）に示すように、画像単位の分割基準データ［Ｄｐｓ］を得る。このような分割基準データ［Ｄｐｓ］は、画像単位の各分割基準データ［Ｄｐｓ１］，［Ｄｐｓ２］，…からなる。各分割基準データ［Ｄｐｓ１］，［Ｄｐｓ２］，…は、基準データ［Ｄｐ(or)］（図６（４）参照）を分割して得たデータであるため、位置合わせ用のアライメントマーク１１、および画像調整用のパッチ１２の画像データも含む。このような分割基準データ［Ｄｐｓ］は、記憶部１０３に保存される。
【００６２】
＜ステップ２０６＞
ステップＳ２０６において、画像処理部１０２ａは、基準データ［Ｄｐ］の変更を実施する。この際、画像処理部１０２ａは、先ず、異常検出部１０２ｃからの情報に基づいて、有効画像であると判断された画像に対応する分割基準データ［Ｄｐｓ１］を、分割基準データ［Ｄｐｓ］の中から外す。そして、図１０（２）に示すように、有効画像ではないと判断された画像の分割基準データ［Ｄｐｓ２］と、印刷されていない次の画像の分割基準データ［Ｄｐｓ３］とを組み合わせ、さらに組み合わせを順次変更する。
【００６３】
その後、図１０（３）に示すように、組み合わせた分割基準データ［Ｄｐｓ２］，［Ｄｐｓ３］を結合させて、新たな基準データ［Ｄｐ］を作成する。この際、画像処理部１０２ａは、組み合わせた分割基準データ［Ｄｐｓ２］，［Ｄｐｓ３］における媒体領域［Ｔ２］を検索し、分割基準データ［Ｄｐｓ２］，［Ｄｐｓ３］から媒体領域［Ｔ２］を切り取り、切り取った媒体領域［Ｔ２］同士を位置合わせして結合する。これにより、新たな基準データ［Ｄｐ１］，［Ｄｐ２］，…を作成する。また作成した新たな基準データ［Ｄｐ］：［Ｄｐ１］，［Ｄｐ２］，…を記憶部１０３に保存する。
【００６４】
また、画像処理部１０２ａによる新たな基準データ［Ｄｐ］の作成は、分割基準データ［Ｄｐｓ２］，［Ｄｐｓ３］における画像データ領域［Ｔ１］のみを用い実施してもよい。この場合、画像処理部１０２ａは、組み合わせた分割基準データ［Ｄｐｓ２］，［Ｄｐｓ３］における媒体領域［Ｔ２］を検索し、画像描画時の画像開始位置に基づいて画像データ領域［Ｔ１］を検知して画像データ領域［Ｔ１］を切り出す。記録媒体Ｐに対する画像データ開始位置（ｘ，ｙ）は、記録媒体Ｐのサイズと画像データ［ｄ］のサイズから計算しているため、分割基準データ［Ｄｐｓ２］，［Ｄｐｓ３］から画像データ領域［Ｔ１］のみを切り出すことが可能である。そして、分割基準データ［Ｄｐｓ２］，［Ｄｐｓ３］から切り出した画像データ領域［Ｔ１］同志を、位置合わせして結合する。
【００６５】
その後はステップＳ１０１に戻り、ステップＳ２０４において変更した集約画像データ［ｄａ］を用いて、ジョブ印刷を実施する。これにより、図１０（４）に示すように、記録媒体Ｐの中央に設定された画像データ領域［Ｔ１］に、２つの画像が集約して印刷される。また各記録媒体Ｐにおける画像データ領域［Ｔ１］の周囲には、位置合わせ用のアライメントマーク１１、および画像調整用のパッチ１２が形成される。これは、ステップＳ４と同様である。
【００６６】
＜ステップＳ１０６＞
また、ステップＳ１０３において異常なし（ＹＥＳ）と判断して進んだステップＳ１０６において、動作制御部１０２ｄは、ジョブで設定された全ての画像の印刷が完了したか否かを判断する。そして全ての画像の印刷が完了した（ＹＥＳ）と判断した場合には、次のステップＳ１０７に進み、完了していない（ＮＯ）と判断した場合には、ステップＳ１０１に戻り、以降を繰り返し実施する。
【００６７】
＜ステップＳ１０７＞
ステップＳ１０７において、動作制御部１０２ｄは、ジョブで設定された全て部数の印刷が完了したか否かを判断する。そして全部数の印刷が完了した（ＹＥＳ）と判断した場合には、処理を終了させる。一方、全部数の印刷が完了していない（ＮＯ）と判断した場合には、ステップＳ１０８に進む。
【００６８】
＜ステップＳ１０８＞
ステップＳ１０８において、画像処理部１０２ａは、集約画像データ［ｄａ］および基準データ［Ｄｐ］に変更があったか否かを判断する。そして、変更があった（ＹＥＳ）と判断した場合には、ステップＳ１０９に進む。一方、変更がない（ＮＯ）と判断した場合いは、ステップＳ１０１に戻り、以降を繰り返し実施する。
【００６９】
＜ステップＳ１０９＞
ステップＳ１０９において、画像処理部１０２ａは、記憶部１０３に保存されているオリジナルの集約画像データ［ｄａ(or)］を、新たな集約画像データ［ｄａ］として記憶部１０３に保存する。また記憶部１０３に保存されているオリジナルの基準データ［Ｄｐ(or)］を、新たな基準データ［Ｄｐ］として記憶部１０３に保存する。その後、ステップＳ１０１に戻り、以降を繰り返し実施する。
【００７０】
＜第１実施形態の効果＞
以上説明した第１実施形態によれば、記録媒体Ｐに集約して形成された一部の画像に異常が検出された場合に、異常が検出されていない有効画像を外して、異常が検出された無効画像のみを他の画像と共に集約して再印刷する構成である。この際、無効画像を含んで集約して形成された画像の検査は、基準データを分割した分割基準データを集約した新たな基準データとの比較により、実施することが可能である。
【００７１】
また特に、この検査は、複数の画像が集約して形成された記録媒体Ｐを断裁する前に、画像読取部１０７において読み取った読取画像データ［Ｄｔ］に基づいて実施される。したがって、読取画像データ［Ｄｔ］は、画像形成後に断裁処理などの他の処理が加わる前の画像形成直後のデータとなるため、証明データとして信頼性の高い読取画像データ［Ｄｔ］を得ることが可能である。
【００７２】
なお、以上説明した第１実施形態においては、ステップＳ４のジョブ印刷によって画像が形成された記録媒体Ｐは、そのまま印刷部数に加えてもよい。この場合、ステップＳ７の後、ステップＳ１０４に進めばよい。
【００７３】
≪第２実施形態の制御方法≫
図１１は、本発明の第２実施形態の画像形成装置の制御方法を示す図である。この図に示す第２実施形態の画像形成装置の制御方法が、第１実施形態の画像形成装置の制御方法と異なるところは、図５のステップＳ２０４における集約データ［ｄａ］の変更、および図５のステップＳ２０６における基準データ［Ｄｐ］の変更の手順にある。他のステップは同様である。
【００７４】
図１１（１）に示すように、ステップＳ２０４において集約画像データ［ｄａ］を変更する際には、集約する画像データ［ｄ１］，［ｄ２］，…のそれぞれを、オリジナルの集約画像データ［ｄａ(or)］（図６（２）参照）と同様の位置にレイアウトして新たな集約画像データ［ｄａ］を作成する。
【００７５】
すなわち、図６（２）に示すように、オリジナルの集約画像データ［ｄａ(or)］において、図面上の左側にレイアウトされた画像データ［ｄ３］は、図１１（１）に示すように、レイアウトの位置を変更することなく左側にレイアウトする。またオリジナルの集約画像データ［ｄａ(or)］において、図面上の右側にレイアウトされた画像データ［ｄ２］，［ｄ４］は、レイアウトの位置を変更することなく右側にレイアウトする。
【００７６】
これにより、画像が形成される頁順であって、ネットワークインターフェース１０４を介して外部装置から入力された画像の配置順が変更された新たな集約画像データ［ｄａ］を作成する。
【００７７】
また図１１（２）に示すように、ステップＳ２０６において、基準データ［Ｄｐ］を変更する際には、結合する分割基準データのそれぞれを、オリジナルの基準データ［Ｄｐ(or)］（図６（４）参照）と同様の位置にレイアウトして新たな基準データ［Ｄｐ］を作成する。
【００７８】
異常の場合、断裁後の記録媒体Ｐ−１，Ｐ−２の排出順を変更することにより、各画像が形成された記録媒体Ｐ−１，Ｐ−２の排出順を、ネットワークインターフェース１０４を介して外部装置から入力された画像の配置順と一致させることが好ましい。
【００７９】
＜第２実施形態の効果＞
このような第２実施形態によれば、断裁後の記録媒体Ｐ−１，Ｐ−２に対する画像の形成位置を、全ての印刷部において統一することが可能である。
【００８０】
≪第３実施形態の制御方法≫
図１２は、本発明の第３実施形態に係る画像形成装置の制御方法を示すフローチャートである。このフローチャートに示す第３実施形態の画像形成装置の制御方法が、第１実施形態の画像形成装置の制御方法と異なるところは、基準データ［Ｄｐ］を分割するステップＳ２０５を実施するタイミングにあり、他の構成は第１実施形態と同様である。
【００８１】
すなわち、基準データ［Ｄｐ］を分割するステップＳ２０５は、ステップＳ６において読取画像データ［Ｄｔ］が基準データ［Ｄｐ］として問題がない（ＹＥＳ）と判断された後に実施されてもよい。この場合、次のステップＳ７において、記憶部１０３に基準データ［Ｄｐ］を保存する際、基準データ［Ｄｐ］を分割した分割基準データ［Ｄｐｓ］も同時に保存すればよい。
【００８２】
なお、基準データ［Ｄｐ］を分割するステップＳ２０５は、以上のタイミングの他にも、適宜のタイミングで実施されればよい。
【００８３】
＜第３実施形態の効果＞
このような第３実施形態であっても、第１実施形態と同様の効果を得ることが可能である。
【００８４】
≪第４実施形態の制御方法≫
図１３は、本発明の第４実施形態に係る画像形成装置の制御方法を示すフローチャートである。また図１４は、第４実施形態の画像形成装置の制御方法を示す工程図である。これらの図に示す第４実施形態の画像形成装置の制御方法が、第１実施形態の画像形成装置の制御方法と異なるところは、ステップＳ６において読取画像データ［Ｄｔ］が基準データ［Ｄｐ］として問題ない（ＹＥＳ）と判断された後、下記ステップＳ４０１を実施するところにある。
【００８５】
＜ステップＳ４０１＞
ステップＳ４０１において、画像処理部１０２ａは、表示操作部１０１での操作に基づいて、読取画像データ［Ｄｔ］に対して検査外領域［Ｔout］を設定する。この読取画像データ［Ｄｔ］は、次のステップＳ７において基準データ［Ｄｐ］として保存されるデータである。この際、先ず表示処理部１０２ｂが、表示操作部１０１に対して、読取画像データ［Ｄｔ］を表示させる。これにより画像形成装置１００のユーザーは、表示操作部１０１の操作により、表示操作部１０１に表示された読取画像データ［Ｄｔ］に対して検査外領域［Ｔout］を指定する。
【００８６】
ここで指定する検査外領域［Ｔout］は、媒体領域［Ｔ２］の周縁に相当する領域であって、例えば画像データ領域［Ｔ１］の外側の領域であることとする。記録媒体Ｐの周縁は、画像データの読み取り時に記録媒体Ｐの搬送が安定せず、浮いてしまう場合があり、正確な画像データの読み取りができない領域であるため、検査外領域［Ｔout］に指定する。また、画像データ［ｄ］を結合した境界を含む領域も、本来は記録媒体Ｐ上には存在しない箇所であるため、検査外領域［Ｔout］に指定してもよい。この場合、ユーザーは、表示操作部１０１において、検査外領域［Ｔout］として指定する箇所の始点と終点を数値入力し、矩形の範囲を設定する。
【００８７】
そして画像処理部１０２ａは、このような表示操作部１０１での操作に基づいて設定された矩形の範囲の全てを、検査外領域［Ｔout］に設定し、記憶部１０３に保存する。
【００８８】
この場合、第１実施形態で説明したステップＳ１０３（図５参照）において、異常検出部１０２ｃが、読取画像データ［Ｄｔ］に異常があるか否かの判断を実施する際には、検査外領域［Ｔout］を外した領域についてのみ、読取画像データ［Ｄｔ］と基準データ［Ｄｐ］とを比較する。
【００８９】
また、第１実施形態で説明したステップＳ２０５（図５参照）において、基準データ［Ｄｐ］を分割する場合、検査外領域［Ｔout］を除いた基準データ［Ｄｐ］の部分を、設定に応じて分割して分割基準データ［Ｄｐｓ］を作成してもよい。
【００９０】
＜第４実施形態の効果＞
このような第４実施形態によれば、正確に画像データの読み取りができない領域を、検査外領域［Ｔout］に設定したことにより、読取画像データ［Ｄｔ］の異常検出を正確に実施することが可能になり、精度の高い異常検出を実施することができる。
【００９１】
以上説明した第２実施形態、第３実施形態、および第４実施形態は、それぞれ組み合わせて実施することが可能であり、組み合わせることによってそれぞれの効果を得ることが可能である。
【符号の説明】
【００９２】
１００…画像形成装置
１０２ａ…画像処理部
１０２ｃ…異常検出部
１０５…画像形成部
１０７…画像読取部
１０８…断裁処理部
Ｐ…記録媒体
［ｄ］…画像データ
［ｄａ］…集約画像データ
［Ｄｔ］…読取画像データ
［Ｄｐ］…基準データ
［Ｄｐｓ］…分割基準データ
［Ｔ１］…画像データ領域
［Ｔ２］…媒体領域
［Ｔ３］…読取領域
［Ｔout］…検査外領域
【図１】
2020064458.tif 000003
【図２】
2020064458.tif 000004
【図３】
2020064458.tif 000005
【図４】
2020064458.tif 000006
【図５】
2020064458.tif 000007
【図６】
2020064458.tif 000008
【図７】
2020064458.tif 000009
【図８】
2020064458.tif 000010
【図９】
2020064458.tif 000011
【図１０】
2020064458.tif 000012
【図１１】
2020064458.tif 000013
【図１２】
2020064458.tif 000014
【図１３】
2020064458.tif 000015
【図１４】
2020064458.tif 000016